(57)【要約】【課題】口腔内での違和感を装着者に与えず、しかも審美性の点でも優れた給水機能付き義歯を提供する。【解決手段】給水機能付き総義歯１は、本来的な義歯として作製された総義歯の奥歯側の例えば４本の歯部分（歯肉部分を含む）が切除されていて（被切除側の義歯が義歯本体部１１となる）、この切除された元の歯部分を模して作製された離脱義歯部１２を、被切除箇所に着脱可能に設けたものである。離脱義歯部１２は弾性樹脂から成り、中空部１２ｃ及びこれに通じる突起状パイプ部１２ｂを有する。この給水機能付き総義歯１を口腔内に装着した状態で離脱義歯部１２に圧力が加わると、中空部１２ｃ内に注入されている水や人工唾液が突起状パイプ部１２ｂから押し出されて口腔内を濡らす。【選択図】図３
0003129957.tif 000002
【実用新案登録請求の範囲】
【請求項１】
義歯本体部と該義歯本体部に対して着脱可能な離脱義歯部とから成り、
前記離脱義歯部は中空の弾性樹脂から成り当該離脱義歯部の裏面側には一つ又は複数の突起状パイプ部が中空部内に連通して形成されており、
前記離脱義歯部が装着される前記義歯本体部の受け箇所には裏面に至る貫通穴が前記突起状パイプ部の数及び配置位置に対応して形成されており、
前記義歯本体部の前記受け箇所に前記離脱義歯部が装着された状態では前記突起状パイプ部が前記貫通穴に係合し、該突起状パイプ部の開口端が前記裏面の側に臨むことを特徴とする給水機能付き義歯。
【考案の詳細な説明】
【技術分野】
【０００１】
この発明は、口腔乾燥症（ドライマウス）の方々が用いて好適な給水機能付き義歯に関する。
【背景技術】
【０００２】
義歯（特に上顎側の総義歯）の口腔内での装着状態が安定して保たれるためには、口腔内が唾液で適度に濡れていることが必要である。しかしながら、口腔乾燥症（ドライマウス）の方々においては、唾液量が少ないために、義歯装着状態を安定して保つことできないことがある。
【０００３】
従来、このような課題を解決するものとして、中空部（タンク部）を有する口腔内給水器具が提案されている。この口腔内給水器具にはその中空部内から表面側に通じる貫通穴が形成されており、前記中空部内に充填されている水が前記貫通穴を通じて口腔内に供給される。かかる口腔内給水器具は、歯の並びの湾曲に沿った半ドーナツ状を成し、歯と唇との間に装着される。
【考案の開示】
【考案が解決しようとする課題】
【０００４】
しかしながら、上記口腔内給水器具を歯と唇との間に装着すると口腔内での違和感を装着者に与えることになり、しかも審美性の点でも劣る。
【０００５】
この考案は、上記の事情に鑑み、口腔内での違和感を装着者に与えず、しかも審美性の点でも優れた給水機能付き義歯を提供することを目的とする。
【課題を解決するための手段】
【０００６】
この考案の給水機能付き義歯は、上記の課題を解決するために、義歯本体部と該義歯本体部に対して着脱可能な離脱義歯部とから成り、前記離脱義歯部は中空の弾性樹脂から成り当該離脱義歯部の裏面側には一つ又は複数の突起状パイプ部が中空部内に連通して形成されており、前記離脱義歯部が装着される前記義歯本体部の受け箇所には裏面に至る貫通穴が前記突起状パイプ部の数及び配置位置に対応して形成されており、前記義歯本体部の前記受け箇所に前記離脱義歯部が装着された状態では前記突起状パイプ部が前記貫通穴に係合し、該突起状パイプ部の開口端が前記裏面の側に臨むことを特徴とする。
【０００７】
上記の構成であれば、前記離脱義歯部の前記突起状パイプ部からその中空部内に水や人工唾液を注入して該離脱義歯部を前記義歯本体部の前記受け箇所に装着することにより、全体として完成された義歯形態を成すことになる。そして、かかる給水機能付き義歯を口腔内に装着すると、義歯として機能することは勿論、前記離脱義歯部に圧力が加わると前記中空部内に注入されている水や人工唾液が前記突起状パイプ部から押し出される。前記突起状パイプ部は前記貫通穴に係合しており、該突起状パイプ部の開口端が前記裏面の側に望んでいることになるから、前記中空部内に注入されている水や人工唾液は口腔内壁に供給され、口腔内壁を濡らすことができる。更に、前記離脱義歯部の外観は義歯そのものといえるものであるから、審美性を損なうこともない。
【考案の効果】
【０００８】
以上説明したように、この考案の給水機能付き義歯であれば、口腔内での違和感を装着者に与えず、しかも審美性の点でも優れるという効果を奏する。
【考案を実施するための最良の形態】
【０００９】
以下、この考案の実施形態を図１乃至図６に基づいて説明する。
【００１０】
図１は給水機能付き総義歯１を示した図であって、同図（ａ）は給水機能付き総義歯１の平面図、同図（ｂ）は離脱義歯部１２の平面図、同図（ｃ）は給水機能付き総義歯１の側面図である。
【００１１】
給水機能付き総義歯１は、本来的な義歯として作製された総義歯の奥歯側の例えば４本の歯部分（歯肉部分を含む）が切除されていて（以下、被切除側の義歯を義歯本体部１１という）、この切除された元の歯部分（歯肉部分を含む）を模して作製された離脱義歯部１２を、被切除箇所に着脱可能に設けたものである。前記離脱義歯部１２は義歯本体部１１とは異なり、中空の弾性樹脂から成る。
【００１２】
図２（ａ）は義歯本体部１１から離脱義歯部１２を離脱させた状態の平面図、同図（ｂ）は離脱義歯部１２の底面図、同図（ｃ）は義歯本体部１１から離脱義歯部１２を少し浮かせて示した側面図である。
【００１３】
図２（ａ）に示しているように、義歯本体部１１の被切除箇所はタービンやドリルなどによって加工され、受け箇所１１ａが形成されている。この受け箇所１１ａには、係止条溝部１１ｂ及び二つの係止貫通穴１１ｃが形成される。
【００１４】
図２（ｂ）に示しているように、離脱義歯部１２の底面には、係止条凸部１２ａが前記係止条溝部１１ｂに対応した幅及び形状で形成されている。また、離脱義歯部１２の底面には、突起状パイプ部１２ｂが前記係止貫通穴１１ｃの数及び配置位置に対応して形成されている。
【００１５】
図３（ａ）は給水機能付き総義歯１の背面図、同図（ｂ）は離脱義歯部１２の拡大正面図、同図（ｃ）は離脱義歯部１２の拡大断面図である。離脱義歯部１２は、図３（ｃ）に示しているように、中空部１２ｃを有している。突起状パイプ部１２ｂにおける穴は前記中空部１２ｃに通じている。
【００１６】
前記義歯本体部１１の前記受け箇所１１ａに前記離脱義歯部１２が装着された状態では、前記係止条凸部１２ａが前記係止条溝部１１ｂに係合する。そして、前記突起状パイプ部１２ｂが前記係止貫通穴１１ｃに係合し、該突起状パイプ部１２ｂの開口端が義歯本体部１１の裏面の側に臨む。
【００１７】
これにより、前記離脱義歯部１２の前記突起状パイプ部１２ｂからその中空部内１２ｃに水や人工唾液を注入して該離脱義歯部１２を前記義歯本体部１１の前記受け箇所１１ａに装着することにより、全体として完成された義歯形態を成すことになる。そして、かかる給水機能付き総義歯１を口腔内に装着すると、総義歯として機能することは勿論、前記離脱義歯部１２に圧力が加わると前記中空部１２ｃ内に注入されている水や人工唾液が前記突起状パイプ部１２ｂから押し出される。前記突起状パイプ部１２ｂが前記係止貫通穴１１ｃに係合しており、該突起状パイプ部１２ｂの開口端が前記義歯本体部１１の裏面の側に臨むことになるから、前記中空部１２ｃ内に注入されている水や人工唾液は口腔内壁に供給され、口腔内壁を濡らすことができる。更に、前記離脱義歯部１２の外観は義歯そのものといえるものであるから、審美性を損なうこともない。
【００１８】
ところで、前記突起状パイプ部１２ｂを単なる突起とし、前記離脱義歯部１２の裏面以外の側に前記中空部１２ｃ内に通じる給水穴を形成することも考えられる。しかしながら、裏面以外の側は、食事に際して食物が触れる箇所となるため、食物のカスが前記給水穴に詰まることが生じ得る。これに対し、本構成であれば、突起状パイプ部１２ｂの開口端は前記義歯本体部１１の裏面の側に臨むから、食物のカスが前記突起状パイプ部１２ｂの開口端に詰まるといった不具合は生じにくい。
【００１９】
次に、給水機能付き総義歯（上顎側）の作製過程について説明していく。図４（ａ）に示すように、患者に適合している総義歯Ａを用意する。そして、図４（ｂ）に示すように、前記離脱義歯部となる箇所の歯部分をタービンなどで切除（破砕）する。更に、図４（ｃ）に示すように、被切除箇所をタービンやドリルなどを用いて加工し、受け箇所１１ａ（前記係止条溝部１１ｂ及び係止貫通穴１１ｃ）を形成する。これにより、義歯本体部１１が得られる。
【００２０】
そして、図５（ａ）に示すように、歯科用石膏Ｂ上に総義歯Ａ（義歯本体部１１）を固定し、図示しない咬合器に取り付ける。このとき、咬合器に取り付ける下顎側の義歯については、パラフィンワックスと人工歯による模擬義歯を形成してもよいし、患者が使用している下顎側の義歯を用いてもよい。そして、前記受け箇所１１ａにパラフィンワックスＣを盛り、該パラフィンワックスＣに人工歯Ｄを差し込んで並べて整えていく。このパラフィンワックスＣに人工歯Ｄを差し込んで並べた状態のもの（ワックス義歯）から、通常の義歯作製法によって硬質レジンによる転写物（以下、本型という）を作製する。この本型を図５（ａ）のワックス義歯の配置位置に取り付ける。
【００２１】
次に、図５（ｂ）に示すように、印象材Ｅによって前記本型による型取りを行う。図５（ｃ）は前記本型の型（凹部）が得られた印象材Ｅを引っ繰り返し、本型の型内（凹部内）にレジンＦを注ぎ込んだ状態を示している。前記レジンＦは、後に離脱義歯部１２となるものであり、その硬化後においても弾性を保持できる材料であればよい。当該レジンＦとしては、例えば、歯科用レジンのなかで、「ソフト」或いは「スーパーソフト」の表記があるものを用いることができる。
【００２２】
一方、総義歯Ａ（義歯本体部１１）については、前記咬合器から取り外し、図６（ａ）に示すように、受け箇所１１ａにカプセルＧを載せておく。カプセルＧは飲み薬における薬剤が充填される部材であり、例えば、カプセル薬の中身を取り除いて利用することができる。次に、図６（ｂ）に示すように、レジンＦを注ぎ込んだ印象材Ｅと前記受け箇所１１ａとを合わせる。レジンＦ内での前記カプセルＧの浮遊位置は、略中心位置であることが望ましいが、この位置はレジンＦの粘性・比重に対するカプセルＧの浮力の影響を受ける。カプセルＧ内に水を適量入れておくことでその浮力を調節することも可能である。この場合は、カプセルＧとして水に比較的解けにくいものを選ぶ。また、前記印象材Ｅと前記受け箇所１１ａとを合わせた状態で重力方向を適宜変化させることでも、レジンＦ内で前記カプセルＧを略中心位置に浮遊させておくこともできる。また、係止貫通穴１１ｃを通して歯科用石膏Ｂにピンを立て、このピンにてカプセルＧを仮係止して位置決めしておくこととしてもよい。前記ピンは後で硬化したレジンＦから抜き取ればよい。
【００２３】
前記レジンＦの硬化に要する時間を待って前記印象材Ｅを総義歯Ａ（義歯本体部１１）から離脱させると、本型の型による凹部（歯部及び歯肉部）、受け箇所１１ａ、係止条溝部１１ｂ、及び係止貫通穴１１ｃのそれぞれの形が表面に転写された硬化状態のレジン（弾性物）が得られる。すなわち、この硬化状態のレジンの表面には、前記転写によって、歯部・歯肉部、係止条凸部１２ａ（係止条溝部１１ｂの転写により形成される）、及び突起部（係止貫通穴１１ｃの転写により形成される）が形成される。前記突起部は、突起状パイプ部１２ｂとなる部位であるが、穴は未形成の状態である。前記突起部にタービンなどを用いて穴を開けることにより、当該突起部は突起状パイプ部１２ｂとなる。また、前記カプセルＧによって、中空部１２ｃが形成される（カプセルＧは存在したままである）。前記カプセルＧは水や唾液などによっていずれ解けることになるから、使用によって消滅する。
【００２４】
上述した作製方法は一例であって、かかる作製方法以外の方法を用いて給水機能付き義歯を作製してもよいことは勿論である。
【図面の簡単な説明】
【００２５】
【図１】この考案の実施形態の給水機能付き総義歯を示した図であって、同図（ａ）は給水機能付き総義歯の平面図、同図（ｂ）は離脱義歯部の平面図、同図（ｃ）は給水機能付き総義歯の側面図である。
【図２】この考案の実施形態の給水機能付き総義歯を示した図であって、同図（ａ）は義歯本体部から離脱義歯部を離脱させた状態の平面図、同図（ｂ）は離脱義歯部の底面図、同図（ｃ）は義歯本体部から離脱義歯部を少し浮かせて示した側面図である。
【図３】この考案の実施形態の給水機能付き総義歯を示した図であって、同図（ａ）は給水機能付き総義歯の背面図、同図（ｂ）は離脱義歯部の正面図、同図（ｃ）は離脱義歯部の断面図である。
【図４】同図（ａ）（ｂ）（ｃ）は給水機能付き総義歯の作製過程を示した説明図である。
【図５】同図（ａ）（ｂ）（ｃ）は給水機能付き総義歯の作製過程を示した説明図である。
【図６】同図（ａ）（ｂ）は給水機能付き総義歯の作製過程を示した説明図である。
【符号の説明】
【００２６】
１      給水機能付き総義歯
１１    義歯本体部
１１ａ  受け箇所
１１ｂ  係止条溝部
１１ｃ  係止貫通穴
１２    離脱義歯部
１２ａ  係止条凸部
１２ｂ  突起状パイプ部
１２ｃ  中空部
【図１】
0003129957.tif 000003
【図２】
0003129957.tif 000004
【図３】
0003129957.tif 000005
【図４】
0003129957.tif 000006
【図５】
0003129957.tif 000007
【図６】
0003129957.tif 000008